(57)【要約】【課題】本発明は、被写体における大きな撮像範囲を拡大してユーザに視認させることができる。【解決手段】本発明は、テレビジョン装置３と当該テレビジョン装置３を操作するリモートコントローラ２とからなる。リモートコントローラ２は、ユーザの操作入力部１１に対する操作に応じて送信コマンドを生成し、テレビジョン装置３に送信する。テレビジョン装置３は、送信コマンドに応じたテレビジョン放送番組を受信して表示部２１に表示する。そしてリモートコントローラ２は、ユーザが手元に載置しておくによって被写体を撮像し、送信撮像データを生成すると共に、当該送信撮像データをテレビジョン装置３に送出する。テレビジョン装置３は、送信撮像データをテレビジョン装置３が有する大きな表示部２１に表示するようにした。【選択図】図４
2009105574.tif 000002
【特許請求の範囲】
【請求項１】
テレビジョン放送受信装置と当該テレビジョン放送受信装置を操作するリモートコントローラとからなるテレビジョン放送受信システムにおいて、
上記リモートコントローラは、
ユーザの操作に応じて第１の操作入力信号を生成する第１の操作入力部と、
上記ユーザの操作に応じて第２の操作入力信号を生成する第２の操作入力部と、
上記第１の操作入力信号に応じて第１のコマンドを生成するコマンド生成部と、
上記第２の操作入力信号に応じて被写体を撮像して撮像データを生成する撮像部と、
上記第１のコマンド及び上記撮像データを送信する送信部と
を具え、
上記テレビジョン放送受信装置は、
上記第１のコマンド及び上記撮像データを受信する受信部と、
上記第１のコマンドに応じてテレビジョン放送信号を受信する放送受信部と、
受信した上記テレビジョン放送信号に基づいて映像データを生成して表示装置に送出し、上記受信部が上記撮像データを受信した場合には、上記撮像データに基づいて上記被写体よりも大きく表示されるような拡大撮像データを生成し、当該拡大撮像データを上記表示装置に送出する映像データ生成部と
を具えることを特徴とするテレビジョン放送受信システム。
【請求項２】
上記リモートコントローラは、
上記ユーザの操作に応じて第３の操作入力信号を生成する第３の操作入力部
を具え、
上記コマンド生成部は、
上記第３の操作入力信号に応じて第２のコマンドを生成し、
上記送信部は、
上記第２のコマンドを送信し、
上記映像データ生成部は、
上記第２のコマンドに応じて、上記拡大撮像データの拡大率を変更した拡大撮像データを生成し、上記表示装置に送出する
ことを特徴とする請求項１に記載のテレビジョン放送受信システム。
【請求項３】
上記映像データ生成部は、
上記第２のコマンドに応じて、上記拡大撮像データの一部を切出して解像度を向上させた再拡大撮像データを生成する
ことを特徴とする請求項２に記載のテレビジョン放送受信システム。
【請求項４】
上記第３の操作入力部は、
ボタンでなり、当該ボタンに対するユーザの押下の度に上記拡大率を変更する
ことを特徴とする請求項３に記載のテレビジョン放送受信システム。
【請求項５】
上記送信部は、
静止画像を表す上記撮像データを送信する
ことを特徴とする請求項４に記載のテレビジョン放送受信システム。
【請求項６】
上記リモートコントローラは、
対向する２面がその表面の殆どを構成する扁平な形状を有しており、上記２面のうち一面に上記第２の操作入力部が配置されると共に、上記２面のうち他面において、上記第２の操作入力部と対向しない領域に上記撮像部が配置されている
ことを特徴とする請求項５に記載のテレビジョン放送受信システム。
【請求項７】
上記リモートコントローラは、
上記撮像データを表示する表示部
を具えることを特徴とする請求項６に記載のテレビジョン放送受信システム。
【請求項８】
上記テレビジョン放送受信装置は、
上記表示装置を有するテレビジョン装置である 
ことを特徴とする請求項７に記載のテレビジョン放送受信システム。
【請求項９】
上記送信部は、
動画像を表す上記撮像データを送信する
ことを特徴とする請求項４に記載のテレビジョン放送受信システム。
【請求項１０】
上記撮像部は、
上記第３の操作入力信号に応じて、上記撮像データよりも拡大した状態で撮像する
ことを特徴とする請求項２に記載のテレビジョン放送受信システム。
【発明の詳細な説明】
【技術分野】
【０００１】
本発明は、テレビジョン放送受信システムに関し、例えばテレビジョン放送を受信して表示するテレビジョン装置を有するテレビジョン放送受信システムに適用して好適なものである。
【背景技術】
【０００２】
従来、携帯電話機には、カメラ機能を有するようになされたものがある。この携帯電話機として、例えば電子機器に表示された注意書きや本のように細かい文字など（以下、これを印刷情報と呼ぶ）を有する被写体をユーザに撮像させ、撮像した映像を拡大して表示部に表示することにより、いわゆる老眼の年輩者などに対して印刷情報を読み易くするようになされたものが提案されている（例えば、特許文献１参照）。
【特許文献１】特開２００６−２３８０９４公報
【発明の開示】
【発明が解決しようとする課題】
【０００３】
ところでかかる構成の携帯電話機においては、表示部が小さいため、狭い撮像範囲で被写体を撮像し、その映像を拡大して表示するようになされている。このため携帯電話機は、ユーザが例えば新聞や本など比較的大きい被写体を拡大して視認したい場合には、ルーペを用いる場合と同様に絶えず携帯電話機を移動させることにより撮像範囲を絶えず移動させながら印刷情報を視認させる必要があり、ユーザを疲労させてしまう。
【０００４】
近年、２０インチ以上の大きい表示部を有する大型のテレビジョン装置が普及しつつある。ここで、この大きい表示部を用いることにより、被写体における広い撮像範囲を拡大して表示することができると考えられる。
【０００５】
本発明は以上の点を考慮してなされたもので、被写体における広い撮像範囲を拡大してユーザに視認させることができるテレビジョン放送受信システムを提案しようとするものである。
【課題を解決するための手段】
【０００６】
かかる課題を解決するため本発明においては、テレビジョン放送受信装置と当該テレビジョン放送受信装置を操作するリモートコントローラとからなるテレビジョン放送受信システムにおいて、リモートコントローラは、ユーザの操作に応じて第１の操作入力信号を生成する第１の操作入力部と、ユーザの操作に応じて第２の操作入力信号を生成する第２の操作入力部と、第１の操作入力信号に応じて第１のコマンドを生成するコマンド生成部と、第２の操作入力信号に応じて被写体を撮像して撮像データを生成する撮像部と、第１のコマンド及び撮像データを送信する送信部とを設け、テレビジョン放送受信装置は、第１のコマンド及び撮像データを受信する受信部と、第１のコマンドに応じてテレビジョン放送信号を受信する放送受信部と、受信したテレビジョン放送信号に基づいて映像データを生成して表示装置に送出し、受信部が撮像データを受信した場合には、撮像データに基づいて被写体よりも大きく表示されるような拡大撮像データを生成し、当該拡大撮像データを表示装置に送出する映像データ生成部とを設けるようにした。
【０００７】
これにより大きな表示部を有する表示装置に被写体を拡大して表示できるため、広い撮像範囲を撮像した場合であっても十分な拡大率で当該撮像範囲を拡大表示することができる。
【発明の効果】
【０００８】
本発明によれば、大きな表示部を有する表示装置に被写体を拡大して表示できるため、大きな撮像範囲を撮像した場合であっても十分な拡大率で当該撮像範囲を拡大表示することができ、かくして被写体における大きな撮像範囲を拡大してユーザに視認させることができるテレビジョン放送受信システムを実現できる。  
【発明を実施するための最良の形態】
【０００９】
以下、図面について、本発明の一実施の形態を詳述する。
【００１０】
（１）第１の実施の形態
（１−１）全体構成
図１において１は、全体として本発明のテレビジョンシステムを示しており、リモートコントローラ２と、当該リモートコントローラ２によって操作されるテレビジョン装置３とから構成されている。
【００１１】
リモートコントローラ２は、所定の無線通信方式（例えばBlueTooth（登録商標）やＩＥＥＥ（Institute of Electrical and Electronics Engineers）８０２．１１ａ／ｂ／ｇなどの無線ＬＡＮ（Local Area Network）、ZigBee（登録商標）など）に従ってユーザの要求に応じた送信信号をテレビジョン装置３に送信する。またテレビジョン装置３は、リモートコントローラ２から供給される送信信号に従って、テレビジョン放送信号を受信して表示部２１に表示するようになされている。
【００１２】
図２に示すようにリモートコントローラ２は、図示しないＣＰＵ（Central Processing Unit）、ＲＯＭ（Read Only Memory）及びＲＡＭ（Random Access Memory）から構成されるＲＣ制御部１２がリモートコントローラ２の全体を統括的に制御するようになされている。制御部２は、ＲＯＭに格納されている各種基本プログラム等をＲＡＭに展開することによって、これらのプログラムに基づいて各種処理や後述する撮像データ送信処理を実行するようになされている。
【００１３】
ＲＣ制御部１２は、操作入力部１１に対するユーザの操作に応じて、当該操作入力部１１から例えばテレビジョン放送番組や当該テレビジョン放送番組の放送時間及びチャンネルの一覧を表す放送番組表を表示する旨の要求を表す操作入力信号が供給されると、これをコマンド生成部１３に供給する。コマンド生成部１３は、操作入力信号が表すユーザの要求に応じ、テレビジョン放送番組や放送番組表を表示する旨の命令を表す送信コマンドを生成し、これを通信処理部１４に送出する。
【００１４】
通信処理部１４は、送信コマンドに基づいて所定の変調処理を行うことにより、送信信号を生成すると、アンテナ１５を介して当該送信信号をテレビジョン装置３に送信する。
【００１５】
図３に示すようにテレビジョン装置３は、図示しないＣＰＵ、ＲＯＭ及びＲＡＭから構成されるＴＶ制御部２２がテレビジョン装置３の全体を統括的に制御するようになされている。ＴＶ制御部２２は、ＲＯＭに格納されている各種基本プログラム等をＲＡＭに展開することによって、これらのプログラムに基づいて各種処理や後述する拡大表示処理を実行するようになされている。
【００１６】
ＴＶ制御部２２は、リモートコントローラ受信部（以下、これをリモコン受信部と略す）２３によって送信信号を受信すると、送信信号に従って表示部２１にユーザの要求に応じた画像を表示し、スピーカ２５から音声を出力するようになされている。
【００１７】
すなわちリモコン受信部２３は、アンテナ２３Ａを介して受信した送信信号を復調処理することにより元の送信コマンドに対応する受信コマンドを生成すると、これをＴＶ制御部２２に供給する。
【００１８】
ＴＶ制御部２２は、受信コマンドがテレビジョン放送番組として一のアナログテレビジョン放送番組を表示する旨を表していた場合、番組表示制御信号を生成して映像制御部２８に送出すると共に、当該一のアナログテレビジョン放送番組を指定するチャンネル指定信号を生成し、これをアナログチューナ２４に送出する。またＴＶ制御部２２は、１番組のみを表示する旨を表す１番組制御信号を生成し、これを映像制御部２８に送出する。
【００１９】
アナログチューナ２４は、チャンネル指定信号が供給されると、指定されたアナログテレビジョン放送番組に対応する周波数帯域のアナログ放送信号を選択して受信し、復調処理を施す。さらにアナログチューナ２４は、復調処理されたアナログ放送信号から音声信号を抽出し、アナログ音声信号としてスピーカ２５に送出する。この結果、スピーカ２５は、指定されたアナログテレビジョン放送番組についての音声を出力する。
【００２０】
またアナログチューナ２４は、アナログ放送信号から映像信号を抽出し映像データとして解像度処理部２６に送出する。映像制御部２８は、ＴＶ制御部２２から１番組制御信号が供給されると、解像度処理部２６によってアナログチューナ２４から供給される映像データをディジタル化すると共に、当該映像データの解像度を表示部２１の大きさに合うよう調整させ、映像処理部２７に送出させる。
【００２１】
さらに映像制御部２８は、解像度の調整された映像データに対し映像処理部２７によってＡＧＣ（Auto Gain Control）処理、及びガンマ補正処理やホワイトバランス調整処理、カラープロセス処理などの画像調整処理を実行させ、表示制御部２９に送出させる。表示制御部２９は、画像調整処理のなされた映像データを表示用信号に変換し、これを表示部２１に送出する。この結果表示部２１には、ユーザの要求に応じた一のアナログテレビジョン放送番組についての画像が表示される。
【００２２】
またＴＶ制御部２２は、受信コマンドがテレビジョン放送番組として２つのディジタルテレビジョン放送番組を同時に表示する旨の要求を表していた場合、表示部２１に表示すべき２つのディジタルテレビジョン放送番組を指定するチャンネル指定信号を生成し、これをディジタルチューナ３１に送出する。さらにＴＶ制御部２２は、２つのディジタルテレビジョン放送番組を縮小して同時に表示する旨を表す２番組制御信号を映像制御部２８に送出する。
【００２３】
ディジタルチューナ３１は、指定されたディジタルテレビジョン放送番組に対応する周波数帯域のディジタル放送信号を選択して受信し、当該ディジタル放送信号を復調すると共に、この復調されたディジタル放送信号のスクランブルを解除する。ディジタルチューナ３１は、このスクランブルを解除されたディジタル放送信号を映像パケットデータ、音声パケットデータ及びＥＰＧ（Electric Program Guide）パケット情報の３種類のパケットに分離する。
【００２４】
さらにディジタルチューナ３１は、映像データ及びＥＰＧ情報を解像度処理部２６に送出する一方、２つのディジタルテレビジョン放送番組に対応する音声パケットデータのうち、ユーザによって選択された一のディジタルテレビジョン放送番組に対応する音声パケットデータから音声データを生成する。さらにディジタルチューナ３１は、当該音声データをアナログ化し、アナログ音声信号としてスピーカ２５に送出する。この結果スピーカ２５は、一のアナログテレビジョン放送番組についての音声を出力する。
【００２５】
映像制御部２８は、ＴＶ制御部２２から２番組制御信号が供給されると、解像度処理部２６によってディジタルチューナ３１から当該解像度処理部２６に供給される映像パケットデータに基づいて映像データを生成させると共に、当該映像データの画像サイズを縮小させて縮小映像データを生成させ、これを映像処理部２７に供給させる。
【００２６】
映像制御部２８は、映像処理部２７によって２つのディジタルテレビジョン放送番組に対応する縮小映像データを合成して１つの合成映像データを生成させ、これを表示制御部２９に送出する。表示制御部２９は、合成映像データを表示用信号に変換し、これを表示部２１に送出する。この結果表示部２１には、ユーザの要求に応じた２つのディジタルテレビジョン放送番組についての画像が同時に表示される。
【００２７】
またＴＶ制御部２２は、受信コマンドが放送番組表を表示する旨の要求を表していた場合、放送番組表を表示する旨の番組表制御信号を映像制御部２８に送出する。映像制御部２８は、解像度処理部２６によってディジタルチューナ３１から当該解像度処理部２６に供給されるＥＰＧパケット情報に基づいて放送番組表データを生成させ、映像処理部２７を介して表示制御部２９に送出させる。
【００２８】
表示制御部２９は、放送番組表データを表示用信号に変換し、これを表示部２１に送出する。この結果表示部２１には、ユーザの要求に応じた放送番組表を表示部２１に表示させる。
【００２９】
またＴＶ制御部２２は、例えば一のディジタルテレビジョン放送番組を表示部２１に表示している状態で送信信号を受信し、当該送信信号に対応する受信コマンドがメニュー画像を表示する旨の要求を表していた場合、現在表示中のディジタルテレビジョン放送番組に対する処理をそのまま継続しながら、メニュー画像を表示する旨のメニュー制御信号を映像制御部２８に供給する。さらにＴＶ制御部２２は、メニュー画像データをＲＯＭから読み出し、これをメニュー生成部３２に送出する。
【００３０】
映像制御部２８は、メニュー生成部３２によってメニュー画像データに対し、例えば現在のテレビジョン装置３の音量や放送時間などの設定を反映させた表示用メニュー画像データを生成させ、これを表示制御部２９に送出する。
【００３１】
表示制御部２９は、映像処理部２７から供給される映像データに対し、表示用メニュー画像データを重畳してメニュー重畳映像データを生成する。さらに表示制御部２９は、メニュー重畳映像データをアナログ化して表示用信号を生成し、これを表示部２１に送出する。この結果表示部２１には、現在表示中のディジタルテレビジョン放送番組に対してユーザの要求に応じたメニューを重畳して表示した画像が表示される。
【００３２】
このようにして、テレビジョン装置３は、リモートコントローラ２を介したユーザの要求に応じて当該ユーザにテレビジョン放送番組を視聴させると共に、ユーザの要求に応じて放送番組表やメニュー画像を表示部２１に表示するようになされている。
【００３３】
（１−２）拡大鏡機能
図４に示すように、テレビジョンシステム１では、ユーザの手元に載置されることの多いリモートコントローラ２を用いて、ユーザに新聞や本などに印刷された文字や画像などの印刷情報を有する被写体を撮像させると共に、撮像された被写体をテレビジョン装置３の表示部２１に拡大して表示する拡大鏡機能を有している。
【００３４】
図５（Ａ）に示すようにリモートコントローラ２は、操作面４０上に操作入力部１１(図２)としてのテレビジョン放送番組を選局などするための操作キー群４３及び拡大鏡機能に用いられる撮影キー４５及び拡大鏡キー４６を有している。リモートコントローラ２では、操作キー群４３の下部に撮影キー４５及び拡大鏡キー４６を設けていると共に、これら撮影キー４５及び拡大鏡キー４６を囲む領域（以下、これを拡大鏡機能領域と呼ぶ）４４を操作面４０上の他の領域とは異なる色で表示している。
【００３５】
これによりリモートコントローラ２は、当該撮影キー４５及び拡大鏡キー４６がテレビジョン放送番組を視認するための操作キーでないことをユーザに直感的に認識させ得るようになされている。
【００３６】
また図５（Ｂ）に示すようにリモートコントローラ２は、操作面４０と対向する裏面４１の上部に、撮像部１６（図２）の一部として、撮像光を取り込むカメラ部４８と、被写体を明るく照らすためのＬＥＤ（Light Emitting Diode）ライト部４９を有している。すなわちリモートコントローラ２は、カメラ部４８及びＬＥＤライト部４９を操作面４０における撮影キー４５及び拡大鏡キー４６と対向しない領域に設けている。
【００３７】
これにより図６（Ａ）及び（Ｂ）に示すように、リモートコントローラ２は、ユーザが撮影キー４５及び拡大鏡キー４６を操作する際に、ユーザにリモートコントローラ２の下部を把持させるため、上部に設けられたカメラ部４８及びＬＥＤライト部４９をユーザの手で覆ってしまうことを防止し得、リモートコントローラ２の操作性を向上させることができる。
【００３８】
テレビジョンシステム１では、ユーザによってリモートコントローラ２における撮影キー４５が押下されると、図４（Ａ）に示したように印刷情報を有する被写体として例えば新聞１００を撮像し、これをテレビジョン装置３の表示部２１に拡大して表示するようになされている。
【００３９】
具体的にリモートコントローラ２のＲＣ制御部１２（図２）は、ユーザの撮影キー４５に対する操作に応じて撮像データ送信処理を開始する。ＲＣ制御部１２は、ユーザの撮影キー４５の押下に応じて操作入力信号としての撮像開始要求信号が操作入力部１１から供給されると、送信コマンドとして被写体の映像（以下、これを被写体映像と呼ぶ）の表示を開始する旨の要求を表す拡大表示コマンドを生成し、これを送信信号としてテレビジョン装置３に送信する。
【００４０】
さらにＲＣ制御部１２は、撮像部１６に対して撮像制御信号を供給することにより、当該撮像部１６が有するＬＥＤライト部４９を点灯させると共にカメラ部４８から撮像光として、例えば３２×１８ｃｍを撮像範囲として撮像光を取り込む。撮像部１６は、図示しないＣＣＤ（Charge-Coupled Device）によって撮像光を光電変換し、例えば９６０×５４０ピクセルでなる撮像信号を生成し、これを信号処理部１７に供給する。信号処理部１７は、撮像信号をディジタル化及びパケット化して撮像データを生成し、通信処理部１４に送出する。
【００４１】
通信処理部１４は、撮像データに基づいて所定の変調処理を実行することにより、送信撮像データを生成すると、アンテナ１５を介して当該送信撮像データをテレビジョン装置３に送信する。
【００４２】
テレビジョン装置３（図３）のリモコン受信部２３は、送信信号を受信すると、当該送信信号から送信コマンドに対応する受信コマンドを生成し、ＴＶ制御部２２に送出する。ＴＶ制御部２２は、受信コマンドが被写体の撮像を開始する旨の要求を表す拡大表示コマンドであると認識すると、拡大表示処理を開始し、映像制御部２８に拡大表示制御信号を送出する一方、リモートコントローラ２から送信撮像データが供給されるのを待ち受ける。
【００４３】
ＴＶ制御部２２は、リモコン受信部２３によって送信撮像データを受信すると、当該送信撮像データに対して復調処理などを施すことにより受信撮像データを生成し、これを解像度処理部２６に送出する。
【００４４】
映像制御部２８は、ＴＶ制御部２２から拡大表示制御信号が供給されると、解像度処理部２６によって受信撮像データを１９２０×１０８０ピクセルでなる拡大撮像データに変換し、映像処理部２７を介して表示制御部２９へ送出する。表示制御部２９は、拡大撮像データを表示用信号に変換し、これを例えば４０インチ（８８．５×４９．８ｃｍ）でなる表示部２１に送出する。この結果表示部２１には、図４（Ｂ）に示したように、撮像された被写体である新聞１００についての撮像画面５０が第１の拡大倍率で拡大された状態で表示されるようになされている。
【００４５】
なおリモートコントローラ２は、ユーザによって次に撮影キー４５（図５）が押下されるまでの間撮像データ送信処理を継続して実行し、表示部２１に動画像でなる拡大画面５０（図４（Ｂ））を表示させ続けるようになされている。
【００４６】
さらにテレビジョンシステム１では、リモートコントローラ２の拡大鏡キー４６に対するユーザの操作に応じて、テレビジョン装置３の表示部２１に被写体映像を拡大画面５０よりも拡大して表示するようになされている。
【００４７】
すなわちリモートコントローラ２のＲＣ制御部１２は、撮像データ送信処理を実行中にユーザによって拡大鏡キー４６（図５）が押下されたことにより操作入力信号としての拡大要求信号が操作入力部１１から供給されると、送信コマンドとして被写体映像の表示サイズを大きくする旨の要求を表す再拡大コマンドを生成し、送信信号としてテレビジョン装置３に送信する。
【００４８】
テレビジョン装置３は、送信信号に基づいて生成された受信コマンドが被写体映像の表示サイズを大きくする旨の要求を表す再拡大コマンドであると認識すると、映像制御部２８に拡大制御信号を供給する。映像制御部２８は、当該拡大制御信号が供給されると、解像度処理部２６によって受信撮像データの中心部分を所定の第１サイズで切出データとして切り出すと共に、当該切出データの解像度を１９２０×１０８０ピクセルに変換して再拡大撮像データを生成し、映像処理部２７を介して表示制御部２９へ送出する。
【００４９】
この結果表示部２１には、図７（Ａ）に示すように、被写体映像が第１拡大倍率よりも大きい第２拡大倍率で拡大されたことにより、拡大画面５０よりもさらに拡大された新聞１００についての画像でなる再拡大画面５１が表示される。
【００５０】
さらにリモートコントローラ２のＲＣ制御部１２は、再び拡大鏡キー４６（図５）が押下されたことを認識すると、再拡大コマンドを再度生成し、送信信号としてテレビジョン装置３に送信する。
【００５１】
テレビジョン装置３は、送信信号に基づいて生成された受信コマンドが再拡大コマンドであると認識すると、映像制御部２８に拡大制御信号を供給する。映像制御部２８は、ＴＶ制御部２２から拡大制御信号が供給されると、解像度処理部２６によって拡大撮像データの中心部分を上記第１サイズよりも小さい第２サイズで切出データとして切り出すと共に、当該切出データの解像度を１９２０×１０８０ピクセルに変換して再々拡大撮像データを生成し、映像処理部２７を介して表示制御部２９へ送出する。
【００５２】
この結果表示部２１には、図７（Ａ）に示すように、被写体映像が第２拡大倍率よりも大きい第３拡大倍率で拡大されたことにより、再拡大画面５１よりもさらに拡大された新聞１００についての画像でなる再々拡大画面５２が表示される。
【００５３】
さらにリモートコントローラ２のＲＣ制御部１２は、拡大鏡キー４６（図５）が再度押下されたことを認識すると、再拡大コマンドを再度生成し、送信信号としてテレビジョン装置３に送信する。
【００５４】
テレビジョン装置３のＴＶ制御部２２は、現在表示部２１に再々拡大画面５２が表示されている状態で、送信信号に基づいて生成された受信コマンドが再拡大コマンドであると認識すると、映像制御部２８にリセット制御信号を供給する。映像制御部２８は、解像度処理部２６によって受信撮像データを所定の第１拡大倍率で拡大して拡大撮像データを生成し、映像処理部２７を介して表示制御部２９へ送出する。表示制御部２９は、拡大撮像データを表示用信号に変換し、これを表示部２１に送出する。
【００５５】
この結果表示部２１には、撮像された被写体である新聞１００についての撮像画面５０（図４）が再度表示されるようになされている。
【００５６】
このようにテレビジョンシステム１では、ユーザに当該ユーザの手元にあるリモートコントローラ２を用いて被写体を気軽に撮像させると共に、当該被写体を拡大してテレビジョン装置３の表示部２１に表示する。これによりテレビジョンシステム１は、被写体が有する細かい文字や図形などの印刷情報を大きい撮像範囲で撮像させると共に、この大きい撮像範囲を大きい表示部２１に拡大して表示することができる。
【００５７】
さらにテレビジョンシステム１では、リモートコントローラ２の拡大鏡キー４６の操作に応じて、表示部２１に表示する被写体映像の表示サイズを再拡大する。これによりテレビジョンシステム１は、拡大鏡キー４６の操作に応じてユーザが望むサイズに撮像範囲を指定することができるため、テレビジョンシステム１は、リモートコントローラ２と被写体との位置関係の調整として撮影位置のみをユーザに調整させれば良い。
【００５８】
これによりテレビジョンシステム１では、ユーザにリモートコントローラ２と被写体との位置関係を調整させることによりユーザに被写体の撮像範囲として撮像位置及びそのサイズの双方を指定させる方法と比較して、ユーザの撮像操作を簡易にすることができる。
【００５９】
なお、リモートコントローラ２のＲＣ制御部１２は、撮像データ送信処理中において撮影キー４５が再度押下されたことを認識すると、撮像データ送信処理を終了すると共に撮像データ送信処理を終了する旨を表す送信コマンドを送信信号としてテレビジョン装置３に送出する。
【００６０】
テレビジョン装置３は、送信信号から生成した受信コマンドが撮像データ送信処理を終了する旨を表していると認識すると、拡大表示処理を終了し、拡大表示処理を実行する前に表示していたテレビジョン放送番組を再び受信して表示部２１に表示する。
【００６１】
（１−３）動作及び効果
以上の構成において、テレビジョンシステム１は、テレビジョン装置３と当該テレビジョン装置３を操作するリモートコントローラ２とからなる。このリモートコントローラ２は、第１の操作入力部である操作キー郡４３に対するユーザの操作に応じて操作入力信号を生成し、当該操作入力信号に応じて第１のコマンドとして一のテレビジョン放送番組を表示する旨の要求を表す送信コマンドを生成し、これを送信信号として送信する。
【００６２】
またリモートコントローラ２は、ユーザの撮影キー４５に対する操作に応じて第２の操作入力信号である撮像開始要求信号を生成し、当該撮像開始要求信号に応じて被写体を撮像して撮像データを生成し、これを送信撮像データとして送信する。
【００６３】
テレビジョン装置３は、送信信号を受信すると、送信コマンドに対応する受信コマンドを生成し、当該受信コマンドが一のテレビジョン放送番組を表示する旨の要求を表していると認識すると、当該一のテレビジョン放送番組に対応するテレビジョン放送信号を受信する。
【００６４】
テレビジョン装置３は、受信したテレビジョン放送信号に基づいて映像データを生成して表示装置である表示部２１に送出することにより、表示部２１にテレビジョン放送番組についての画像を表示する。
【００６５】
テレビジョン装置３は、リモートコントローラ２から送信撮像データを受信した場合には、送信撮像データに基づいて被写体よりも大きく表示されるような拡大撮像データを生成し、当該拡大撮像データを表示部２１に送出することにより、表示部２１に被写体を表示する。
【００６６】
ここで一般的に、テレビジョン装置３など、リモートコントローラ２を用いて操作される表示装置は、ユーザが例えば５０ｃｍ以上離れた位置から表示装置を視認することが想定されており、例えば２０インチ以上の比較的大きな表示部を有している。
【００６７】
すなわちテレビジョンシステム１は、一般の携帯電話機と比して遥かに大きい表示部２１に被写体が有する印刷情報を拡大して表示することができるため、広い撮像範囲で被写体を撮像しても印刷情報を十分に大きく拡大して表示することができ、一度に多くの印刷情報を拡大表示することができる。この結果テレビジョンシステム１では、表示部の小さい携帯電話機を使用する場合とは異なり、視認対象となる印刷情報に追従させてリモートコントローラ２を大きく移動させる必要がなく、ユーザに印刷情報を読むことに集中させることができるため、ユーザを疲労させずに済む。
【００６８】
ここで一般的にテレビジョン装置３は、家庭内において例えばソファなどユーザが頻繁に座る座位置から視認しやすい場所に配置される。またリモートコントローラ２は、ユーザの手元、すなわちユーザの近傍に載置されることが多い。
【００６９】
従ってテレビジョンシステム１は、座位置に居るユーザに対し、手元に載置されたリモートコントローラ２を用いて新聞１００などの被写体を撮像させると共に、座位置から視認しやすい場所に配置されたテレビジョン装置３を介して当該被写体を拡大した拡大画面５０をユーザに視認させることができる。
【００７０】
またリモートコントローラ２は、第３の操作入力部であるユーザの拡大鏡キー４６に対する操作に応じて第３の操作入力信号としての拡大要求信号を生成し、第２のコマンドとして被写体映像をさらに拡大して表示する旨の要求を表す再拡大コマンドを生成してこれをテレビジョン装置３に送信する。テレビジョン装置３は、当該再拡大コマンドに応じて、撮像データの拡大率を変更した再拡大撮像データを生成し、当該再拡大撮像データを表示部２１に送出する。
【００７１】
これによりテレビジョンシステム１では、拡大鏡キー４６の操作に応じて被写体の拡大率を自由に変更することができるため、例えば撮像し易い位置でユーザに被写体を撮像させた上で、ユーザに表示部２１に表示された被写体映像の大きさを自由に変更させることができる。
【００７２】
このためテレビジョンシステム１では、例えばユーザに対し常にほぼ同一の位置に被写体を載置させ、同一の位置にリモートコントローラ２を配置させるといった簡易な操作をさせることにより、後は被写体の印刷情報の大きさに合わせて、表示部２１に表示された被写体映像の拡大率を自由に変更させることができ、ユーザの好みに応じた大きさで被写体映像を表示することができる。
【００７３】
さらにテレビジョンシステム１は、テレビジョン放送信号を受信するテレビジョン装置３とリモートコントローラ２とによって構成される。このためテレビジョンシステム１では、拡大鏡機能を有さない一般的なテレビジョンシステムが有する構成をそのまま拡大鏡機能にも兼用できるため、リモートコントローラ２に撮像部１６及び信号処理部１７を設けるだけの簡易な構成で拡大鏡機能を実現することが可能となる。
【００７４】
ちなみにテレビジョンシステム１では、カメラ部４８として市場に大量に供給されている携帯電話機用のカメラユニットを使用することにより、リモートコントローラ２を安価に製造することが可能である。
【００７５】
さらにテレビジョンシステム１は、動画像を表す送信撮像データをテレビジョン装置３に送信することにより、ユーザに対して表示部２１を視認させながら自由に拡大する撮像範囲を選択させることができる。
【００７６】
またリモートコントローラ２は、対向する操作面４０及び裏面４１の２面がその表面の殆どを構成する扁平な形状を有しており、一面である操作面４０に撮影キー４５が配置されると共に、他面である裏面４１において、撮影キー４５と対向しない領域に撮像部１６としてのカメラ部４８及びＬＥＤライト部４９が配置されている。これによりリモートコントローラ２は、ユーザにリモートコントローラ２を把持させた状態で撮影キー４５を押下させる際、ユーザの手をカメラ部４８及びＬＥＤライト部４９から離隔させることができるため、ユーザがカメラ部４８及びＬＥＤライト部４９を手で覆ってしまい、被写体を撮像し得なくなってしまうことを未然に防止し得る。
【００７７】
さらにリモートコントローラ２は、ボタンである拡大鏡キー４６をユーザが押下する度に被写体映像の拡大率を変更するため、単純に拡大鏡キー４６を直感的に操作させる簡易な操作のみでユーザ所望の拡大率に被写体映像を拡大させることができ、ユーザに拡大率を設定させるなどの面倒な操作をさせずに済む。またリモートコントローラ２上に拡大率に応じた複数のボタンを配置する場合と比較して、ボタンの数を抑制することができ、ユーザに拡大鏡キー４６の位置を簡単に覚えさせることができるため、ユーザにボタンを探させずに済む。
【００７８】
リモートコントローラ２は、操作キー群４３に対するユーザの操作に応じて操作入力信号を生成し、当該操作入力信号に応じて送信コマンドを生成するだけでなく、ユーザの撮影キー４５に対する操作に応じて撮像開始要求信号を生成し、当該撮像開始要求信号に応じて大きな撮像範囲で被写体を撮像して送信撮像データを生成し、送信コマンド及び送信撮像データを送信する。これによりリモートコントローラ２は、送信コマンド及び送信撮像データを受信したテレビジョン装置３に対し、送信コマンドに応じてテレビジョン放送信号を受信させ、受信したテレビジョン放送信号に基づいて映像データを生成して表示部２１に送出させる。またリモートコントローラ２は、テレビジョン装置３が送信撮像データを受信した場合には、当該送信撮像データに基づいて被写体よりも大きく表示されるような拡大撮像データを生成し、当該拡大撮像データを表示部２１に送出させるようにした。
【００７９】
以上の構成によれば、テレビジョンシステム１では、ユーザが手元に載置しておくリモートコントローラ２によって被写体を撮像し、当該被写体をテレビジョン装置３が有する大きな表示部２１に表示することにより、大きな撮像範囲を撮像した場合であっても十分な拡大率で当該撮像範囲を拡大表示することができ、かくして被写体における大きな撮像範囲を拡大してユーザに視認させることができるテレビジョン放送受信システムを実現することができる。
【００８０】
（２）第２の実施の形態
（２−１）拡大鏡機能
図８〜１０は第２の実施の形態を示すもので、図１〜７に示す第１の実施の形態に対応する部分を同一符号で示している。第２の実施の形態では、リモートコントローラ６０が撮像範囲を表示するためのファインダとなる液晶表示部６１を有している点と、動画像ではなく静止画像の撮像を行う点が第１の実施の形態と異なっている。なおテレビジョン装置３の構成は第１の実施の形態と同様であるため説明を省略する。
【００８１】
図８に示すようにリモートコントローラ６０は、操作面４０（図８（Ａ））の上部、かつ裏面４１（図８（Ｂ））に設けられたカメラ部４８と対向する領域に液晶表示部６１を有している。またＬＥＤランプ部４９（図５（Ｂ））の代わりに、１／６０秒などの短時間だけ発光するフラッシュ部６２が設けられている。因みに液晶表示部６１はタッチパネル機能を有しており、リモートコントローラ２（図（Ａ））が有していた操作キー群４３の一部が、液晶表示部６１に表示されるようになされている。
【００８２】
リモートコントローラ６０は、ユーザが撮影キー４５を押下したことを認識すると、図９に示すように例えば被写体である新聞１００を撮像する撮像データ送信処理を開始する。
【００８３】
具体的に図１０に示すようにリモートコントローラ６０のＲＣ制御部１２は、撮影キー４５を押下したことを表す撮像開始要求信号が供給されると、撮像部１６に対して撮像制御信号を供給することにより、カメラ部４８から撮像光の取り込みを開始する。
【００８４】
撮像部１６は、図示しないＣＣＤ（Charge-Coupled Device）によって撮像光を光電変換して撮像信号を生成し、信号処理部１７を介して当該撮像信号を表示部６１に送出する。この結果液晶表示部６１には、被写体である新聞１００のうち、撮像範囲が表示された撮像範囲画面６３が表示される。
【００８５】
これによりリモートコントローラ６０は、テレビジョン装置３に被写体が表示される第１の実施の形態とは異なりユーザの視線をテレビジョン装置３に向けさせることなく、ユーザに被写体を視認させた状態のまま撮像範囲を確認させることができ、ユーザの使い勝手を向上させることができる。
【００８６】
そしてリモートコントローラ６０のＲＣ制御部１２は、表示部６１に撮像範囲画面６３が表示された状態で撮影キー４５が押下されたことを認識すると、信号処理部１７に対してデータ送信制御信号を供給する。
【００８７】
信号処理部１７は、データ送信制御信号が供給されると、このとき表示部６１に表示されていた１枚の撮像範囲画面６３に対応する撮像信号をディジタル化及びパケット化して撮像データを生成し、通信処理部１４及びアンテナ１５を介し送信撮像データとしてテレビジョン装置３に送信する。
【００８８】
テレビジョン装置３（図３）のＴＶ制御部２２は、リモコン受信部２３によって送信撮像データを受信したことを認識すると、リモコン受信部２３によって受信撮像データを生成させると共に、映像制御部２８に対して静止画像を表示する旨の静止画像表示コマンドを供給する。
【００８９】
映像制御部２８は、静止画像表示コマンドが供給されると、解像度処理部２６にリモコン受信部２３から供給される受信撮像データを保持させると共に、当該受信撮像データに基づいて拡大撮像データを生成する。そしてテレビジョン装置３は、第１の実施の形態と同様の処理により、表示部２１に静止画像でなる拡大画面（図示しない）を表示させる。
【００９０】
リモートコントローラ２のＲＣ制御部１２は、送信撮像データを送信した後、なお撮像データ送信処理を継続して実行している際に、ユーザによって拡大鏡キー４６（図５）が押下されたことを認識すると、送信コマンド信号として拡大枠を表示する旨を表す枠表示コマンドを生成し、送信信号としてテレビジョン装置３に送信する。
【００９１】
テレビジョン装置３のＴＶ制御部２２は、送信信号に基づいて生成された受信コマンド信号が枠表示コマンドであることを認識すると、拡大枠表示制御信号を映像制御部２８に供給すると共に、拡大枠データを読み出してメニュー生成部３２に送出する。
【００９２】
映像制御部２８は、メニュー生成部３２によって拡大枠データの色などを調整し、表示制御部２９に送出する。表示制御部２９は、送信撮像データに対して拡大枠データを重畳する。この結果図１１（Ａ）に示すように、テレビジョン装置３は、表示部２１に拡大範囲を示す拡大枠６８が表示された拡大枠表示画面６５を表示する。
【００９３】
このときテレビジョン装置３のＴＶ制御部２２は、ユーザによるリモートコントローラ６０の方向操作キー４３（図８（Ａ））に対する操作に応じて、拡大枠６８を移動させて表示する。
【００９４】
そしてリモートコントローラ６０のＲＣ制御部１２は、ユーザが拡大鏡キー４６を再度押下したことを認識すると、送信コマンドとして被写体をさらに拡大して表示する旨の要求を表す再拡大コマンドを送信信号としてテレビジョン装置３に送信する。
【００９５】
テレビジョン装置３は、送信信号が表す再拡大コマンドに応じて映像制御部２８に拡大制御信号を供給することにより、解像度処理部２６によって拡大撮像データの拡大枠６８に対応する領域を切り出すと共に、切り出された当該受信撮像データを表示部２１のサイズに合うように拡大して再拡大撮像データを生成し、映像処理部２７を介して表示制御部２９へ送出する。
【００９６】
この結果表示部２１には、再拡大画面５１（図７（Ａ））と同様に、拡大画面よりも被写体映像が拡大された再拡大画面（図示しない）表示されるようになされている。
【００９７】
（２−２）動作及び効果
以上の構成において、テレビジョンシステム１におけるリモートコントローラ６０は、静止画像を表す送信撮像データをテレビジョン装置３に対して送信することにより、テレビジョン装置３の表示部２１に静止画像でなる拡大画面を表示する。
【００９８】
これによりテレビジョンシステム１では、リモートコントローラ６０を用いてユーザに一旦被写体を撮像させさえすれば、後はユーザにリモートコントローラ６０を把持し続けさせることなく拡大画面に表示された被写体を視認させることができるため、拡大鏡機能を使用する際のユーザに対する使い勝手を向上させることができる。
【００９９】
またリモートコントローラ６０は、撮像中の撮像データを表示する液晶表示部６１を有することにより、ユーザに被写体を確認させながら被写体の撮像範囲画面６３を確認させることができるため、ユーザ所望の撮像範囲画面６３を撮像させ易くできる。
【０１００】
さらにリモートコントローラ６０は、裏面４１に設けられたカメラ部４８と対向する領域に液晶表示部６１を設けることにより、撮像範囲画面６３とカメラ部４８と被写体との位置関係をほぼ一致させることができる。このためリモートコントローラ６０は、ユーザに被写体を視認させながら直感的に当該リモートコントローラ６０を移動させることにより、ユーザに対し所望の撮像範囲を簡易に撮像させることができる。
【０１０１】
（３）他の実施の形態
なお上述の実施の形態においては、拡大鏡キー４６の操作に応じて表示部２１に拡大画面５０よりも大きな再拡大画面５１を表示するようにした場合について述べたが、本発明はこれに限らず、少なくとも拡大画面５０が表示されれば、必ずしも再拡大画面５１を表示しなくても良い。
【０１０２】
さらに上述の実施の形態においては、拡大鏡キー４６の操作に応じて拡大撮像データの中心部を切り出して拡大することにより、いわゆるディジタルズーム方式で再拡大撮像データを生成するようにした場合について述べたが、本発明はこれに限らず、カメラ部４８がズーム機能を有していることにより、拡大した状態で撮像データを撮像するいわゆる光学ズーム方式で再拡大撮像データを生成するようにしても良い。
【０１０３】
また上述の実施の形態においては、操作面４０に撮影キー４５が配置されると共に、裏面４１の当該撮影キー４５と対向しない領域にカメラ部４８が配置されるようにした場合について述べたが、本発明はこれに限らず、対向する領域に配置されるようにしても良い。
【０１０４】
さらに上述の実施の形態においては、操作面４０に設けられた操作キー群４３の下部に撮影キー４５を設けるようにした場合について述べたが、本発明はこれに限らず、例えば操作キー群４３における操作キー間に撮影キー４５を設けるようにしても良い。
【０１０５】
さらに上述の実施の形態においては、カメラ部４８が裏面４１の表面に常に露出するようにした場合について述べたが、本発明はこれに限らず、例えばカメラ部４８を使用しないときに覆って閉状態にするカバー部を設けるようにしても良い。これにより、通常のテレビジョン放送番組を受信する際にユーザが誤ってカメラ部４８に接触し、カメラ部４８が傷ついたり汚れたりすることを防止することができる。この場合例えば撮影キー４５の代わりに、カバー部がカメラ部４８を露出させる開状態になることを検出するようにし、このとき撮像データ送信処理を開始するようにすることができる。
【０１０６】
さらに上述の実施の形態においては、表示部２１を有するテレビジョン装置３に本発明を適用するようにした場合について述べたが、本発明はこれに限らず、例えばハードディスクレコーダやチューナ装置に本発明を適用するようにしても良い。この場合、外部接続されたテレビジョン装置などのディスプレイに拡大撮像データを送出することにより、当該ディスプレイに被写体を拡大して表示する。
【０１０７】
さらに上述の実施の形態においては、拡大撮像データを表示部２１の全画面に拡大画面５０として単純に表示するようにした場合について述べたが、本発明はこれに限らず、例えば表示部２１の半分にのみ表示し、他の半分にテレビジョン放送番組についての映像データを表示するようにしても良い。
【０１０８】
さらに上述の実施の形態においては、撮像部１６としてカメラ部４８と共にＬＥＤライト部４９又はフラッシュ部６２を有するようにした場合について述べたが、本発明はこれに限らず、ＬＥＤライト部４９又はフラッシュ部６２のような照明部を有する必要はない。
【０１０９】
さらに上述の第２の実施の形態においては、リモートコントローラ６０が撮像範囲を表示するファインダとして液晶表示部６１を有するようにした場合について述べたが、本発明はこれに限らず、例えば孔や出し入れ可能な枠でなるファインダを有するようにしても良い。
【０１１０】
さらに上述の実施の形態においては、ボタンである拡大鏡キー４６をユーザが押下する度に被写体映像の拡大率を変更するようにした場合について述べたが、本発明はこれに限らず、例えば拡大率に応じたボタンを複数配置したり、数字ボタンによって拡大率を設定するようにできる。またユーザの押下操作に応じて被写体映像を縮小する縮小ボタンを設けることもできる。
【０１１１】
さらに上述の実施の形態においては、第１の操作入力部としての操作キー群４３と、第２の操作入力部としての撮影キー４５と、コマンド生成部としてのコマンド生成部１３と、撮像部としての撮像部１６及び信号処理部１７と、送信部としての通信処理部１４及びアンテナ１５とからリモートコントローラとしてのリモートコントローラ２を構成するようにした場合について述べたが、本発明はこれに限らず、その他種々の構成でなる第1の操作入力部と、第２の操作入力部と、コマンド生成部と、撮像部と、送信部とからリモートコントローラを構成するようにしても良い。
【０１１２】
さらに上述の実施の形態においては、受信部としてのリモコン受信部２３と、放送受信部としてのディジタルチューナ３１と、映像データ生成部としての解像度処理部２６とによってテレビ放送受信装置としてのテレビジョン装置３を構成するようにした場合について述べたが、本発明はこれに限らず、その他種々の構成でなる受信部と、放送受信部と、映像データ生成部とによってテレビ放送受信装置を構成するようにしても良い。
【産業上の利用可能性】
【０１１３】
本発明のテレビジョンシステム１は、例えばテレビジョン放送信号を受信する種々の電子機器に利用することができる。
【図面の簡単な説明】
【０１１４】
【図１】テレビジョンシステムの全体構成を示す略線図である。
【図２】第１の実施の形態によるリモートコントローラの構成を示す略線図である。
【図３】テレビジョン装置の構成を示す略線図である。
【図４】第１の実施の形態による被写体の撮像の説明に供する略線図である。
【図５】第１の実施の形態によるリモートコントローラの外観構成を示す略線図である。
【図６】撮影キーとカメラ部の配置の説明に供する略線図である。
【図７】第１の実施の形態による被写体の再拡大の説明に供する略線図である。
【図８】第２の実施の形態によるリモートコントローラの外観構成を示す略線図である。
【図９】第２の実施の形態による被写体の撮像の説明に供する略線図である。
【図１０】第２の実施の形態によるリモートコントローラの構成を示す略線図である。
【図１１】第２の実施の形態による被写体の再拡大の説明に供する略線図である。
【符号の説明】
【０１１５】
１……テレビジョンシステム、２、６０……リモートコントローラ、３……テレビジョン装置、１１……操作入力部、１２……ＲＣ制御部、１３……コマンド生成部、１４……通信処理部、１５……アンテナ、１６……撮像部、１７……信号処理部、２１……表示部、２２……ＴＶ制御部、２３……リモコン受信部、２６……解像度処理部、２７……映像処理部、２８……映像制御部、２９……表示制御部、３１……ディジタルチューナ、４３……操作キー群、４５……撮影キー、４６……拡大鏡キー、５０……拡大画面、５１……再拡大画面、１００……新聞。
【図１】
2009105574.tif 000003
【図２】
2009105574.tif 000004
【図３】
2009105574.tif 000005
【図４】
2009105574.tif 000006
【図５】
2009105574.tif 000007
【図６】
2009105574.tif 000008
【図７】
2009105574.tif 000009
【図８】
2009105574.tif 000010
【図９】
2009105574.tif 000011
【図１０】
2009105574.tif 000012
【図１１】
2009105574.tif 000013